(57)【特許請求の範囲】
【請求項１】
天板を具備した家具に用いられる机上コンセントにおいて、前記天板に設けられた左右方向又は前後方向に長い長方形状の貫通穴に嵌着される枠体と、前記枠体内に収容されるコンセントユニットを備えたものであって、
前記コンセントユニットは、前記枠体の上方から落とし込むことにより前記枠体内に収容され、前記枠体により前記コンセントユニットを前記枠体の長手方向へスライド可能に支持してなることを特徴とする机上コンセント。
【請求項２】
前記コンセントユニットの上部に設けた段部が、前記枠体の側面に設けた上凸条体に当て止めされる請求項１記載の机上コンセント。
【請求項３】
前記枠体の側面に設けた上凸条体は、間隔を空けて複数設けた一列の水平凸条であり、
前記コンセントユニットの側面に設けた下凸条体は、間隔を空けて複数設けた一列の水平凸条であり、
前記コンセントユニットが前記枠体の長手方向の中央に位置した状態、
前記コンセントユニットが前記枠体の長手方向の一方の端部に位置した状態、及び
前記コンセントユニットが前記枠体の長手方向の他方の端部に位置した状態では、
前記上凸条体の下面により前記下凸条体の上面が当止される請求項２記載の机上コンセント。
【請求項４】
天板を具備した家具に用いられる机上コンセントにおいて、前記天板に設けられた左右方向又は前後方向に長い長方形状の貫通穴に嵌着される枠体と、前記枠体内に収容されるコンセントユニットを備えたものであって、
前記枠体により前記コンセントユニットを前記枠体の長手方向へスライド可能に支持してなるとともに、
前記枠体の長手方向端部と前記コンセントユニットの長手方向端部との間の空間に、前記コンセントユニットの長手方向端部に隣接させて、前記枠体の内面に係合することにより前記枠体に取り付けられるサイドカバーを備えることを特徴とする机上コンセント。
【請求項５】
天板を具備した家具に用いられる配線カバー装置において、前記天板に設けられた左右方向又は前後方向に長い長方形状の貫通穴に嵌着される枠体と、前記枠体の開口部を塞ぐカバー体とを備えたものであって、
前記枠体がコンセントユニットを前記枠体の長手方向へスライド可能に支持可能なものであり、
前記コンセントユニットを取り外した状態で、前記カバー体は、前記枠体の長手方向の両端部に位置する一対のサイドカバー、及び前記サイドカバー間に位置するセンターカバーからなり、
前記一対のサイドカバーは、
それぞれを垂直にした状態から、前記枠体の長手方向の一方の端部及び他方の端部に沿わせて落とし込むことにより、前記コンセントユニットと干渉しない位置に収納できることを特徴とする配線カバー装置。
【請求項６】
天板を具備した家具に用いられる配線カバー装置において、前記天板に設けられた左右方向又は前後方向に長い長方形状の貫通穴に嵌着される枠体と、前記枠体の開口部を塞ぐカバー体とを備えたものであって、
前記枠体がコンセントユニットを前記枠体の長手方向へスライド可能に支持可能なものであり、
前記コンセントユニットを取り外した状態で、前記カバー体は、前記枠体の長手方向の両端部に位置する一対のサイドカバー、及び前記サイドカバー間に位置するセンターカバーからなり、
前記センターカバーは、
前記コンセントユニットを前記枠体に取り付けて、前記コンセントユニットを長手方向の一方の端部又は他方の端部に当接する位置までスライドさせた状態で、前記コンセントユニットの裏面側から、前記枠体により保持できることを特徴とする配線カバー装置。
【発明の詳細な説明】
【技術分野】
【０００１】
本発明は、天板を具備した家具に用いられる机上コンセント及び配線カバー装置に関する。
【背景技術】
【０００２】
デスク又はテーブル等の天板を具備した家具において、前記天板上で使用するＯＡ機器や電話機等へ各種ケーブル類を配線するために、前記天板に設けられた長方形状の貫通穴に嵌着される枠体と、前記枠体の開口部を塞ぐカバー体とを備えた配線カバー装置がある（例えば、特許文献１の図１ないし図３、特許文献２の図１及び図２、並びに特許文献３の図１及び図２参照）。
また、前記天板を具備した家具において、前記天板上で使用するＯＡ機器や電話機等へ給電するために、前記天板に設けられた長方形状の貫通穴に嵌着される枠体と、前記枠体内に収容されるコンセントユニットを備えた机上コンセントがある（例えば、特許文献１の図４及び図５、並びに特許文献２の図２参照）。
【先行技術文献】
【特許文献】
【０００３】
【特許文献１】特許第３４７８６１３号公報
【特許文献２】特許第４６３９７７８号公報
【特許文献３】特許第３６５０２４２号公報
【発明の概要】
【発明が解決しようとする課題】
【０００４】
以上のような従来の配線カバー装置や机上コンセントにおいて、天板に取り付けられた枠体へのコンセントユニットの取付けは嵌着やねじ止めにより行われるので、コンセントユニットは枠体に固定される。
また、ＵＳＢユニットやクランプユニット等のオプション部材を取り付けられるように構成する場合、枠体の長手方向の寸法を大きくしてコンセントユニットを取り付けた状態の枠体とコンセントユニットの間にオプション部材を取り付けるための空間を形成する必要があり、前記空間に取り付けたオプション部材の位置も固定される。
さらに、コンセントユニットの側方の空間にオプション部材を取り付けずに、前記空間を利用してケーブルを天板下から天板上へ挿通する際にも、ケーブルを挿通する位置が固定される。
よって、天板を具備した家具の使用者が使用しやすい位置にコンセントユニットやオプション部材を移動させて使用することが困難であるので、使用者の使い勝手を向上するという観点で見ると改良の余地がある。
【０００５】
そこで本発明が前述の状況に鑑み、解決しようとするところは、使用者の使い勝手を向上できる机上コンセント及び配線カバー装置を提供する点にある。
【課題を解決するための手段】
【０００６】
本発明に係る机上コンセントは、前記課題解決のために、天板を具備した家具に用いられる机上コンセントにおいて、前記天板に設けられた左右方向又は前後方向に長い長方形状の貫通穴に嵌着される枠体と、前記枠体内に収容されるコンセントユニットを備えたものであって、前記コンセントユニットは、前記枠体の上方から落とし込むことにより前記枠体内に収容され、前記枠体により前記コンセントユニットを前記枠体の長手方向へスライド可能に支持してなることを特徴とする（請求項１）。
【０００７】
このような構成によれば、枠体の長手方向へコンセントユニットをスライドさせた適宜位置でコンセントユニットを使用できるので、使用者の使い勝手が向上する。
その上、コンセントユニットをスライドさせることにより、コンセントユニットのスライド方向の前方及び後方の一方又は両方に、コンセントユニットと枠体との間に空間を形成できることから、ケーブルを天板下から天板上へ挿通する位置を変更できるので、使用者の使い勝手がさらに向上する。
その上さらに、コンセントユニットをスライドさせてスライド方向の前方又は後方の空間にオプション部材を取り付けることにより、オプション部材の取付け位置を変更できるので、使用者の使い勝手が一層向上する。
【０００８】
ここで、前記コンセントユニットの上部に設けた段部が、前記枠体の側面に設けた上凸条体に当て止めされるのが好ましく（請求項２）、前記枠体の側面に設けた上凸条体は、間隔を空けて複数設けた一列の水平凸条であり、前記コンセントユニットの側面に設けた下凸条体は、間隔を空けて複数設けた一列の水平凸条であり、前記コンセントユニットが前記枠体の長手方向の中央に位置した状態、前記コンセントユニットが前記枠体の長手方向の一方の端部に位置した状態、及び前記コンセントユニットが前記枠体の長手方向の他方の端部に位置した状態では、前記上凸条体の下面により前記下凸条体の上面が当止されるのが好ましい実施態様である（請求項３）。
このような構成によれば、コンセントユニットが枠体の長手方向の中央に位置した状態、コンセントユニットが枠体の長手方向の一方の端部に位置した状態、及びコンセントユニットが枠体の長手方向の他方の端部に位置した状態では、枠体の側面に設けた上凸条体の下面によりコンセントユニットの側面に設けた下凸条体の上面が当止されることから抜け止めがされるので、コンセントユニットに対するコンセントプラグの抜き差しを安定かつ確実に行うことができる。
【０００９】
また、本発明に係る机上コンセントは、前記課題解決のために、天板を具備した家具に用いられる机上コンセントにおいて、前記天板に設けられた左右方向又は前後方向に長い長方形状の貫通穴に嵌着される枠体と、前記枠体内に収容されるコンセントユニットを備えたものであって、前記枠体により前記コンセントユニットを前記枠体の長手方向へスライド可能に支持してなるとともに、前記枠体の長手方向端部と前記コンセントユニットの長手方向端部との間の空間に、前記コンセントユニットの長手方向端部に隣接させて、前記枠体の内面に係合することにより前記枠体に取り付けられるサイドカバーを備えることを特徴とする（請求項４）。
このような構成によれば、長手方向へスライド可能なコンセントユニットの長手方向端部に隣接させて、枠体の内面に係合することにより枠体に取り付けられるサイドカバーを備えるので、すっきりとした外観及びフラットな印象により意匠性を向上できるとともに、机上に置いた小物の開口部からの落下を防止できる。
【００１０】
本発明に係る配線カバー装置は、前記課題解決のために、天板を具備した家具に用いられる配線カバー装置において、前記天板に設けられた左右方向又は前後方向に長い長方形状の貫通穴に嵌着される枠体と、前記枠体の開口部を塞ぐカバー体とを備えたものであって、前記枠体がコンセントユニットを前記枠体の長手方向へスライド可能に支持可能なものであり、前記コンセントユニットを取り外した状態で、前記カバー体は、前記枠体の長手方向の両端部に位置する一対のサイドカバー、及び前記サイドカバー間に位置するセンターカバーからなり、前記一対のサイドカバーは、それぞれを垂直にした状態から、前記枠体の長手方向の一方の端部及び他方の端部に沿わせて落とし込むことにより、前記コンセントユニットと干渉しない位置に収納できることを特徴とする（請求項５）。
また、本発明に係る配線カバー装置は、前記課題解決のために、天板を具備した家具に用いられる配線カバー装置において、前記天板に設けられた左右方向又は前後方向に長い長方形状の貫通穴に嵌着される枠体と、前記枠体の開口部を塞ぐカバー体とを備えたものであって、前記枠体がコンセントユニットを前記枠体の長手方向へスライド可能に支持可能なものであり、前記コンセントユニットを取り外した状態で、前記カバー体は、前記枠体の長手方向の両端部に位置する一対のサイドカバー、及び前記サイドカバー間に位置するセンターカバーからなり、前記センターカバーは、前記コンセントユニットを前記枠体に取り付けて、前記コンセントユニットを長手方向の一方の端部又は他方の端部に当接する位置までスライドさせた状態で、前記コンセントユニットの裏面側から、前記枠体により保持できることを特徴とする（請求項６）。
【００１１】
このような構成によれば、枠体にコンセントユニットを取り付けた状態における枠体の長手方向へスライドするコンセントユニットの位置が、枠体の長手方向の中央位置である場合、枠体の長手方向の一方の端部位置である場合、及び枠体の長手方向の他方の端部位置である場合の３位置で使用可能なため、使用者の使い勝手が向上する。
その上、コンセントユニットの位置が枠体の長手方向の中央位置である場合には、枠体の長手方向の両端部とコンセントユニットとの間が一対のサイドカバーにより塞がれる。
また、コンセントユニットの位置が枠体の長手方向の一方の端部位置又は他方の端部位置である場合には、枠体の長手方向の他方の端部又は一方の端部とコンセントユニットとの間が一対のサイドカバーにより塞がれる。
さらに、コンセントユニットを取り外した状態では、枠体の開口部が一対のサイドカバー及びセンターカバーにより塞がれる。
よって、コンセントユニットの位置が前記３位置である場合、及びコンセントユニットを取り外した場合の全てにおいて、すっきりとした外観及びフラットな印象により意匠性を向上できるとともに、机上に置いた小物の開口部からの落下を防止できる。
【００１２】
さらにまた、請求項５のようにサイドカバーを枠体に収納しておくことにより、小形で紛失しやすいサイドカバーの紛失を防止できる。その上、サイドカバーを枠体に収納した状態においても、サイドカバーはコンセントユニットと干渉しないので、コンセントユニットは、枠体の長手方向の一方の端部に当接する位置までへスライドできるとともに、枠体の長手方向の他方の端部に当接する位置までスライドできる。
また、請求項６のようにセンターカバーを枠体により保持しておくことにより、センターカバーの紛失を防止できる。
【発明の効果】
【００１３】
以上のような本発明に係る机上コンセント及び配線カバー装置によれば、主に以下のような効果を奏する。
（１）枠体によりコンセントユニットが枠体の長手方向へスライド可能に支持されることから、枠体の長手方向へコンセントユニットをスライドさせた適宜位置でコンセントユニットを使用できるので、使用者の使い勝手が向上する。
（２）コンセントユニットをスライドさせることによりケーブルを天板下から天板上へ挿通する位置を変更できるので、使用者の使い勝手がさらに向上する。
（３）コンセントユニットをスライドさせてスライド方向の前方又は後方の空間にオプション部材を取り付けることにより、オプション部材の取付け位置を変更できるので、使用者の使い勝手が一層向上する。
（４）コンセントユニットの位置が枠体の長手方向の中央位置である場合、及びコンセントユニットの位置が枠体の長手方向の一方の端部位置又は他方の端部位置である場合の３位置、並びにコンセントユニットを取り外した場合の全てにおいて、一対のサイドカバー及びセンターカバーを用いて開口部を塞ぐことができるので、すっきりとした外観及びフラットな印象により意匠性を向上できるとともに、机上に置いた小物の開口部からの落下を防止できる。
（５）サイドカバー及び／又はセンターカバーを枠体に収納・保持しておくことにより、サイドカバー及び／又はセンターカバーの紛失を防止できる。
【図面の簡単な説明】
【００１４】
【図１】本発明の実施の形態に係る配線カバー装置が用いられた机の斜視図である。
【図２】天板の貫通穴及び配線カバー装置の斜視図である。
【図３】（ａ）は天板に配線カバー装置を取り付けた状態を示す斜視図、（ｂ）はサイドカバーのケーブル挿通用切欠にケーブルを挿通した状態を示す斜視図である。
【図４】本発明の実施の形態に係る机上コンセントの斜視図であり、（ａ）はコンセントユニットを枠体の左端部に当接する位置までスライドさせた状態を、（ｂ）はコンセントユニットを枠体の右端部に当接する位置までスライドさせた状態を示している。
【図５】コンセントユニットのスライド位置に合わせた配線カバー装置の構成例を示す斜視図であり、（ａ）はコンセントユニットを枠体の長手方向の中央に位置させた状態で枠体の左右両端部とコンセントユニットとの間を一対のサイドカバーにより塞ぐ構成、（ｂ）はコンセントユニットを枠体の右端部側に位置させた状態で枠体の長手方向の左端部とコンセントユニットとの間を一対のサイドカバーにより塞ぐ構成、（ｃ）はコンセントユニットを枠体の左端部側に位置させた状態で枠体の右端部とコンセントユニットとの間を一対のサイドカバーにより塞ぐ構成を示している。
【図６】コンセントユニットの斜視図である。
【図７】コンセントユニットから上面カバーを外した本体の斜視図である。
【図８】枠体及びカバー体の分解斜視図である。
【図９】枠体及びコンセントユニットの縦断面右側面図である。
【図１０】裏面から見たセンターカバーの分解斜視図である。
【図１１】（ａ）はサイドカバーのフラップ状蓋片を押し下げてケーブル挿通用切欠を開口させた状態を示す斜視図、（ｂ）はセンターカバーのフラップ状蓋片を押し下げてケーブル挿通用切欠を開口させた状態を示す斜視図である。
【図１２】枠体の端部へのサイドカバーの収納方法を示す斜視図であり、（ａ）は収納前の状態、（ｂ）が収納後の状態を示している。
【図１３】コンセントユニットの裏面側へのセンターカバーの収納方法を示す下方から見た分解斜視図である。
【図１４】コンセントユニットを枠体の端部へスライドさせてできた空間を利用したオプション部材であるＵＳＢユニットの取付けを示す斜視図であり、（ａ）は枠体の左端部とコンセントユニットとの間にＵＳＢユニットを取り付ける前の状態、（ｂ）は枠体の左端部とコンセントユニットとの間にＵＳＢユニットを取り付けた後の状態を示している。
【図１５】コンセントユニットを枠体の端部へスライドさせてできた空間を利用したオプション部材であるＵＳＢユニットの取付けを示す斜視図であり、（ａ）は枠体の右端部とコンセントユニットとの間にＵＳＢユニットを取り付ける前の状態、（ｂ）は枠体の右端部とコンセントユニットとの間にＵＳＢユニットを取り付けた後の状態を示している。
【図１６】コンセントユニットを枠体の端部へスライドさせてできた空間を利用したオプション部材であるクランプユニットの取付けを示す斜視図であり、（ａ）は枠体の左端部とコンセントユニットとの間にクランプユニットを取り付ける前の状態、（ｂ）は枠体の左端部とコンセントユニットとの間にクランプユニットを取り付けた後の状態を示している。
【図１７】コンセントユニットを枠体の端部へスライドさせてできた空間を利用したオプション部材であるクランプユニットの取付けを示す斜視図であり、（ａ）は枠体の右端部とコンセントユニットとの間にクランプユニットを取り付ける前の状態、（ｂ）は枠体の右端部とコンセントユニットとの間にクランプユニットを取り付けた後の状態を示している。
【発明を実施するための形態】
【００１５】
次に、本発明の実施の形態を添付図面に基づき詳細に説明するが、本発明は、添付図面に示された形態に限定されず特許請求の範囲に記載の要件を満たす実施形態の全てを含むものである。
なお、本明細書においては、天板を具備した家具の天板上で作業をする人が作業時に天板に向かった状態を基準とし、その作業者の左右方向を左右とし、天板の奥行き方向の手前側を前、奥側を後とする。
また、各構成部品の方向の定義は、天板に形成する長方形状の貫通穴の長手方向が左右方向（コンセントユニットのスライド方向が左右方向）の場合を基準として、各構成部品を組み付けた状態で前記方向の定義に従うものとする。
【００１６】
図１の斜視図に示すように、本発明の実施の形態に係る配線カバー装置Ａが用いられた天板を具備した家具である机Ｂは、天板２１、並びに天板２１を支持する脚２２及び袖引出し２３等からなり、袖引出し２３は、上段引出し２３Ａ、中段引出し２３Ｂ及び下段引出し２３Ｃを備える。
図１及び図２の斜視図に示すように、天板２１の後端部中央には、左右方向に長い長方形状の貫通穴２１Ａが形成されており、貫通穴２１Ａに配線カバー装置Ａが装着される。
なお、配線カバー装置Ａを装着するために天板２１に形成する貫通孔２１Ａの位置は、天板２１の後端部中央に限定されるものではなく、天板２１の後端部左右等であってもよい。また、天板を具備した家具の構成によっては、天板の左端部又は右端部に貫通孔を形成してもよく、その場合は、前後方向に長い長方形状の貫通穴にすればよい。
【００１７】
配線カバー装置Ａは、貫通穴２１Ａに嵌着される枠体２と、枠体２の図８に示す開口部Ｆを塞ぐカバー体１０とを備える。ここで、カバー体１０は、枠体２の左右両端部に位置するサイドカバー１１，１１、及びサイドカバー１１，１１間に位置するセンターカバー１２からなる。
天板２１の貫通穴２１Ａを形成する壁面には、枠体２の前後面に形成された係止爪２Ｂ，２Ｃの一方又は両方が係止される図示しない段部が形成されている。
天板２１の上方から枠体２を貫通穴２１Ａに挿入すると、枠体２のフランジ部２Ａが天板２１の上面に当接した状態で枠体２の前後面に形成された係止爪２Ｂ，２Ｃの一方又は両方が前記段部に係止する。よって、枠体２は天板２に嵌着された状態で抜け止めされる。
【００１８】
図３（ａ）の斜視図に示すように、天板２１に取り付けられた配線カバー装置Ａは、カバー体１０により枠体２の図８に示す開口部Ｆが塞がれているとともに、天板２１の上面から突出する高さが低く抑えられているので、すっきりとした外観及びフラットな印象により意匠性を向上できる。
また、サイドカバー１１のフラップ状蓋片１１Ｂを押し下げることによりケーブル挿通用切欠１１Ａが開口するので、サイドカバー１１を外して枠体２の開口部からコネクタを机上まで通し、ケーブルをケーブル挿通用切欠１１Ａ内に挿通した状態でサイドカバー１１を装着できる。
すなわち、図３（ｂ）の斜視図に示すように、例えば、一方のサイドカバー１１のケーブル挿通用切欠１１Ａ内にＬＡＮケーブルＣ１を挿通した状態でＬＡＮコネクタＤ１を天板２１上に位置させることができるとともに、他方のサイドカバー１１のケーブル挿通用切欠１１Ａ内にＵＳＢケーブルＣ２を挿通した状態でＵＳＢコネクタＤ２を天板２１上に位置させることができる。
このような構成により、カバー体１０の開口面積を小さくできるので、ＬＡＮケーブルＣ１及びＵＳＢケーブルＣ２等のケーブルを挿通しながら、すっきりとした外観及びフラットな印象を維持できるとともに、机上に置いた小物の開口部からの落下を防止できる。
【００１９】
図４（ａ）及び図４（ｂ）の斜視図に示すように、本発明の実施の形態に係る机上コンセント１は、枠体２及びコンセントユニット３を備えたものであり、コンセントユニット３は枠体２により左右方向（枠体２の長手方向）へスライド可能に支持される。
例えば、コンセントユニット３は、図４（ａ）のように枠体２の左端部Ｅ１に当接する位置まで左方へスライドできるとともに、図４（ｂ）のように枠体２の右端部Ｅ２に当接する位置まで右方へスライドできる。
【００２０】
また、配線カバー装置Ａは、コンセントユニット３のスライド位置に合わせてサイドカバー１１，１１を配置できる。
すなわち、図５（ａ）の斜視図に示すコンセントユニット３が枠体２の左右方向の中央に位置した状態では、枠体２の左右方向の両端部Ｅ１，Ｅ２とコンセントユニット３との間を一対のサイドカバー１１，１１により塞ぐことができる。
また、図５（ｂ）の斜視図に示すコンセントユニット３が枠体２の右端部Ｅ２側に位置した状態では、枠体２の左端部Ｅ１とコンセントユニット３との間を一対のサイドカバー１１，１１により塞ぐことができる。
さらに、図５（ｃ）の斜視図に示すコンセントユニット３が枠体２の左端部Ｅ１側に位置した状態では、枠体２の右端部Ｅ２とコンセントユニット３との間を一対のサイドカバー１１，１１により塞ぐことができる。
【００２１】
図６の斜視図、及び図９の縦断面右側面図に示すように、コンセントユニット３は、本体Ｇ及び上面カバーＨからなる。
図７の斜視図に示すように、上面カバーＨを外した状態の本体Ｇには、前後左右の四隅に、角部を切り欠いた切欠部３Ｄ，３Ｄ，…が形成されるとともに、それらの上部に、皿穴付き通孔３Ｂ，３Ｂ，…が設けられる。
よって、木製天板の開口にコンセントユニット３を取り付ける際には、本体Ｇの通孔３Ｂ，３Ｂ，…から木ねじを挿通してねじ込むことにより、木製天板の開口四隅に設けたねじ固定部に容易に固定できる。そして、本体Ｇを木製天板に取り付けた後に上面カバーＨを装着すれば、すっきりとした外観及びフラットな印象が維持される。
なお、図６、図７及び図９において、電源ケーブル（図１３の符号３Ｃ参照）の図示を省略している。
【００２２】
コンセントユニット３は、図６のような差込み口のみを備えた電源コンセント以外に、図７のような集中スイッチＳＷ付きの電源コンセントであってもよく、差込み口の個数は任意である。
また、コンセントユニット３は、電源コンセントに限定されるものではなく、例えばイーサネット（登録商標） ＬＡＮのＲＪ−４５コネクタ等の情報コンセントや、例えばミニD−Sub １５ピンコネクタ等の映像コンセント等であってもよい。
【００２３】
次に、枠体２の長手方向へコンセントユニット３をスライドさせる構成について説明する。
【００２４】
図６の斜視図に示すように、コンセントユニット３には、その前後の側面に、下凸条体Ｌを構成する一列の水平凸条７Ａ，７Ｂ，７Ｃが設けられる。
また、図８の分解斜視図に示すように、枠体２には、その前後の内面に、上凸条体Ｕを構成する一列の水平凸条６Ａ，６Ｂ，６Ｃ，６Ｄ，６Ｅが設けられる。
コンセントユニット３を左右方向の所定位置で枠体２の上方から落とし込むことにより、図９の縦断面右側面図に示すように、下凸条体Ｌが上凸条体Ｕよりも下側に位置した状態で、コンセントユニット３の段部３Ａが上凸条体Ｕに当て止めされる。
よって、コンセントユニット３は、枠体２により左右方向（枠体２の長手方向）へスライド可能に支持される。
【００２５】
そして、図５（ａ）に示すコンセントユニット３が枠体２の左右方向の中央に位置した状態、図５（ｂ）に示すコンセントユニット３が枠体２の右端部Ｅ２側に位置した状態、及び図５（ｃ）に示すコンセントユニット３が枠体２の左端部Ｅ１側に位置した状態では、上凸条体Ｕの下面により下凸条体Ｌの上面が当止されることから抜け止めがされるので、コンセントユニット３に対するコンセントプラグの抜き差しを安定かつ確実に行うことができる。
【００２６】
次に、カバー体１０の構成について説明する。
【００２７】
図８の分解斜視図に示すサイドカバー１１の前後の係合片１１Ｃ，１１Ｃが、枠体２の前後内面の左右端部に設けられた係合片８，８に係合するので、サイドカバー１１，１１は、図３（ａ）及び図５（ａ）に示す枠体２の左右端部に取り付けられる。
また、サイドカバー１１の前後の係合片１１Ｃ，１１Ｃは、枠体２の前後内面左右に設けられた水平凸条６Ａ，６Ｅ，…にも係合するので、図５（ｂ）及び図５（ｃ）に示すように、サイドカバー１１，１１を隣接させた状態でも枠体２に取り付けられる。
さらに、センターカバー１２の前後左右の係合片１２Ｃ，１２Ｃ，…（図１０も参照）が、枠体２の上部前後左右に設けられた係合スリット２Ｄ，２Ｄ，…に係合するので、センターカバー１２は、図３（ａ）に示す枠体２の左右方向中央部に取り付けられる。
なお、センターカバー１２は、枠体２の左端部Ｅ１までスライドさせた状態（図５（ｃ）のコンセントユニット３をセンターカバー１２で置き換えた状態）、及び枠体２の右端部Ｅ２までスライドさせた状態（図５（ｂ）のコンセントユニット３をセンターカバー１２で置き換えた状態）でも枠体２により保持できる。
【００２８】
図８の分解斜視図、及び図１２（ａ）の斜視図に示すように、サイドカバー１１には、ケーブル挿通用切欠１１Ａが形成されるとともに、切欠１１Ａを開閉可能なフラップ状蓋片１１Ｂが設けられる。すなわち、サイドカバー１１の前後の回動支持穴１３，１３にフラップ状蓋片１１Ｂの前後の回動支軸１５，１５を挿入することにより、フラップ状蓋片１１Ｂはサイドカバー１１により前後方向軸まわりに回動可能に支持される。また、サイドカバー１１の前後の保持穴１４，１４にフラップ状蓋片１１Ｂの前後の保持軸１６，１６を嵌挿することにより、フラップ状蓋片１１Ｂで切欠１１Ａを閉じた状態が保持される。
この状態からフラップ状蓋片１１Ｂを押し下げることによりフラップ状蓋片１１Ｂでケーブル挿通用切欠１１Ａを閉じた状態が容易に解除されるので、図１１（ａ）の斜視図に示すように切欠１１Ａを開口することができる。
【００２９】
図８の分解斜視図、及び図１０の分解斜視図に示すように、センターカバー１２には、ケーブル挿通用切欠１２Ａが形成されるとともに、切欠１２Ａを開閉可能なフラップ状蓋片１２Ｂが設けられる。すなわち、センターカバー１２の左右の回動支持穴１７，１７にフラップ状蓋片１２Ｂの左右の回動支軸１９，１９を挿入することにより、フラップ状蓋片１２Ｂはセンターカバー１２により左右方向軸まわりに回動可能に支持される。また、センターカバー１２の左右の保持穴１８，１８にフラップ状蓋片１２Ｂの左右の保持軸２０，２０を嵌挿することにより、フラップ状蓋片１２Ｂで切欠１２Ａを閉じた状態が保持される。
この状態からフラップ状蓋片１２Ｂを押し下げることによりフラップ状蓋片１２Ｂでケーブル挿通用切欠１２Ａを閉じた状態が容易に解除されるので、図１１（ｂ）の斜視図に示すように切欠１２Ａを開口することができる。
【００３０】
次に、枠体２の端部へのサイドカバー１１，１１の収納方法について説明する。
【００３１】
図１２（ａ）の斜視図に示すように、サイドカバー１１，１１を垂直にした状態から、枠体２の左右端部Ｅ１，Ｅ２に沿わせて落とし込むことにより、サイドカバー１１，１１は、左右端部Ｅ１，Ｅ２及び垂直凸条９Ａ間を図１２（ｂ）の斜視図に示す位置まで下降する。サイドカバー１１を下降させると、枠体２の係合突起９Ｂがサイドカバー１１の係合溝１１Ｄに入るので下降位置が規制される。
図１２（ｂ）のようにサイドカバー１１，１１を枠体２に収納しておくことにより、小形で紛失しやすいサイドカバー１１，１１の紛失を防止できる。
また、図１２（ｂ）のようにサイドカバー１１，１１を枠体２に収納した状態においても、サイドカバー１１，１１はコンセントユニット３と干渉しないので、コンセントユニット３は、図４（ａ）のように枠体２の左端部Ｅ１に当接する位置まで左方へスライドできるとともに、図４（ｂ）のように枠体２の右端部Ｅ２に当接する位置まで右方へスライドできる。
【００３２】
次に、コンセントユニット３の裏面側へのセンターカバー１２の収納方法について説明する。
【００３３】
図１３の下方から見た分解斜視図に示すコンセントユニット３を枠体２に取り付けて左端部Ｅ１に当接する位置までスライドさせた後、コンセントユニット３の裏面側から、センターカバー１２の前後左右の係合片１２Ｃ，１２Ｃ，…を上向きにして、枠体２の下部前後左右に設けられた係合スリット２Ｅ，２Ｅ，…に係合させる。
あるいは、コンセントユニット３の長手方向の向きを反転させ、コンセントユニット３を枠体２に取り付けて右端部Ｅ２に当接する位置までスライドさせた後、コンセントユニット３の裏面側から、センターカバー１２の前後左右の係合片１２Ｃ，１２Ｃ，…を上向きにして、枠体２の下部前後左右に設けられた係合スリット２Ｅ，２Ｅ，…に係合させる。
それらの操作により、センターカバー１２は、コンセントユニット３の裏面側で枠体２の左右方向中央部に位置した状態で、枠体２により保持される。
このようにコンセントユニット３の裏面側にセンターカバー１２を収納しておくことにより、センターカバー１２の紛失を防止できる。
【００３４】
次に、枠体２の左右方向（長手方向）の一方の端部までコンセントユニット３をスライドさせた状態で、枠体２の左右方向の他方の端部とコンセントユニット３との間の空間をオプション部材の取付けに用いる机上コンセント１の例について説明する。
【００３５】
図１４（ａ）の斜視図に示すようにコンセントユニット３を枠体２の右端部Ｅ２に当接する位置まで右方へスライドさせた状態で、枠体２の左端部Ｅ１とコンセントユニット３の左端面との間の空間にオプション部材であるＵＳＢユニット４を上方から挿入することにより、係合片４Ａ，４Ｂが係合片８及び水平凸条６Ａに係合するので、図１４（ｂ）の斜視図に示すようにＵＳＢユニット４がコンセントユニット３の左側に装着される。
また、図１５（ａ）の斜視図に示すようにコンセントユニット３を枠体２の左端部Ｅ１に当接する位置まで左方へスライドさせた状態で、枠体２の右端部Ｅ２とコンセントユニット３の右端面との間の空間にＵＳＢユニット４を上方から挿入することにより、係合片４Ａ，４Ｂが水平凸条６Ｅ及び係合片８に係合するので、図１５（ｂ）の斜視図に示すようにＵＳＢユニット４がコンセントユニット３の右側に装着される。
【００３６】
図１６（ａ）の斜視図に示すようにコンセントユニット３を枠体２の右端部Ｅ２に当接する位置まで右方へスライドさせた状態で、枠体２の左端部Ｅ１とコンセントユニット３の左端面との間の空間にオプション部材であるクランプユニット５を上方から挿入してホルダー５Ａで固定することにより、図１６（ｂ）の斜視図に示すようにクランプユニット５がコンセントユニット３の左側に装着される。
また、図１７（ａ）の斜視図に示すようにコンセントユニット３を枠体２の左端部Ｅ１に当接する位置まで左方へスライドさせた状態で、枠体２の右端部Ｅ２とコンセントユニット３の右端面との間の空間にクランプユニット５を上方から挿入してホルダー５Ａで固定することにより、図１７（ｂ）の斜視図に示すようにクランプユニット５がコンセントユニット３の右側に装着される。
【００３７】
以上のような机上コンセント１の構成によれば、枠体２の左右方向へコンセントユニット３をスライドさせた適宜位置でコンセントユニット３を使用できるので、使用者の使い勝手が向上する。
また、コンセントユニット３をスライドさせることにより、コンセントユニット３の左方及び右方の一方又は両方に、コンセントユニット３と枠体２との間に空間を形成できることから、ケーブルを天板下から天板上へ挿通する位置を変更できるので、使用者の使い勝手がさらに向上する。
さらに、コンセントユニット３をスライドさせてコンセントユニット３の左方又は右方の空間にオプション部材（例えば、ＵＳＢユニット４又はクランプユニット５等）を装着できることから、オプション部材の装着位置を変更できるので、使用者の使い勝手が一層向上する。
【符号の説明】
【００３８】
１  机上コンセト                        ２  枠体
２Ａ  フランジ部                        ２Ｂ，２Ｃ  係止爪
２Ｄ，２Ｅ  係合スリット                ３  コンセントユニット
３Ａ  段部                              ３Ｂ  皿穴付き通孔
３Ｃ  電源ケーブル                      ３Ｄ  切欠部
４  ＵＳＢユニット（オプション部材）    ４Ａ，４Ｂ  係合片
５  クランプユニット（オプション部材）  ５Ａ  ホルダー
６Ａ，６Ｂ，６Ｃ，６Ｄ，６Ｅ，７Ａ，７Ｂ，７Ｃ  水平凸条
８  係合片                              ９Ａ  垂直凸条
９Ｂ  係合突起                          １０  カバー体
１１  サイドカバー                      １１Ａ  ケーブル挿通用切欠
１１Ｂ  フラップ状蓋片                  １１Ｃ  係合片
１１Ｄ  係合溝                          １２  センターカバー
１２Ａ  ケーブル挿通用切欠              １２Ｂ  フラップ状蓋片
１２Ｃ  係合片                          １３  回動支持穴
１４  保持穴                            １５  回動支軸
１６  保持軸                            １７  回動支持穴
１８  保持穴                            １９  回動支軸
２０  保持軸                            ２１  天板
２１Ａ  貫通穴                          ２２  脚
２３  袖引出し                          ２３Ａ  上段引出し
２３Ｂ  中段引出し                      ２３Ｃ  下段引出し
Ａ  配線カバー装置                      Ｂ  机（天板を具備した家具）
Ｃ１  ＬＡＮケーブル                    Ｃ２  ＵＳＢケーブル
Ｄ１  ＬＡＮコネクタ                    Ｄ２  ＵＳＢコネクタ
Ｅ１，Ｅ２  端部                        Ｆ  開口部
Ｇ  本体                                Ｈ  上面カバー
Ｌ  下凸条体                            ＳＷ  集中スイッチ
Ｕ  上凸条体
【図１】
0006657812.tif 000002
【図２】
0006657812.tif 000003
【図３】
0006657812.tif 000004
【図４】
0006657812.tif 000005
【図５】
0006657812.tif 000006
【図６】
0006657812.tif 000007
【図７】
0006657812.tif 000008
【図８】
0006657812.tif 000009
【図９】
0006657812.tif 000010
【図１０】
0006657812.tif 000011
【図１１】
0006657812.tif 000012
【図１２】
0006657812.tif 000013
【図１３】
0006657812.tif 000014
【図１４】
0006657812.tif 000015
【図１５】
0006657812.tif 000016
【図１６】
0006657812.tif 000017
【図１７】
0006657812.tif 000018